(57)【要約】      （修正有）【課題】引手部材などの少なくとも一面に突出部を有する部品を梱包するに適した梱包体を提供し、輸送中の破損事故を防止する。【解決手段】裏面側に突出する連結部６を有する引手部材３を該連結部が両側に突出するように重ねた状態で対にして梱包する梱包体１０である。各引手部材は個別に内袋１１に収容され、表面を向き合わせて２つ折りにした状態で、同梱される施工説明書１２に巻かれ、これらを外袋１３に収容・密封して梱包体とされる。引手部材は、内袋、施工説明書および外袋によって三重に保護され、輸送中の連結部破損を防止する。【選択図】図３
2019081564.tif 000002
【特許請求の範囲】
【請求項１】
少なくともその一面から突出する突出部を有する部品を梱包する梱包体であって、突出部を含めた部品全体がシート状物で覆われて外袋に封入されることを特徴とする梱包体。
【請求項２】
前記シート状物が、部品に関する事項が記載されたものであることを特徴とする請求項１記載の梱包体。
【請求項３】
前記部品が、表面が略平坦面であり裏面に突出部を有する略同形状の一対の部材からなり、これら部材の表面同士を対向させ、裏面の突出部を両側に突出させた状態で梱包されることを特徴とする請求
項１または２記載の梱包体。
【発明の詳細な説明】
【技術分野】
【０００１】
本発明は、少なくとも一面に突出部を有する部品を梱包するに適した梱包体に関する。
【背景技術】
【０００２】
図１に示すように、建物などの開口部に開閉自在に設けられる引戸１には、開閉操作のために手指を掛ける引手２が設けられる。引手２としては、合成樹脂や金属から図２に示すような形状に成形された一対の引手部材３，３が広く用いられている。各引手部材３は、平板状の引手本体４の表面側から手掛部５が凹設されると共に、裏面側には連結部６が突出形成されている。引戸１の引手２取付位置に、手掛部５の平面形状に応じた取付穴（図示せず）を形成し、一対の引手部材３，３の手掛部５，５を引戸１の表裏両面側から取付穴に嵌め込み、これらを両側から押し込んで連結部６，６同士を連結させることにより一体化されて、ワンタッチで引手２が形成される。  
【０００３】
図２（および他図）において連結部６の詳細は図示省略されているが、一例として、図８に示すように、外面に係合爪７ａを有する凸部７を、内面に係合爪８ａを有する凹部８に嵌合させて一体化させるような形状を有するものとすることができる。図８では、一方の連結部６の一の凸部７を他方の連結部６の一の凹部８に嵌合させる構成が示されているが、各連結部６が有する凸部７または凹部８の数は任意である。  
【０００４】
ところで、板状の梱包材料を梱包する梱包体として、特許文献１に記載のものが知られている。この従来技術は、梱包材料を熱収縮性合成樹脂フィルムで被覆する梱包体において、梱包材料の保護面と合成樹脂フィルムとの間に空気緩衝部を形成することにより、梱包材料を保護している。
【先行技術文献】
【特許文献】
【０００５】
【特許文献１】特開平９−２４０７４１号公報
【発明の概要】
【発明が解決しようとする課題】
【０００６】
前述したような引戸部材３，３は、引手本体４，４の手掛部５，５が引戸１の表面側となるように取り付けられるので、輸送中にこの面が傷付かないように、引手本体４，４同士を対向させた状態で梱包されるのが通例であるが、このようにすると連結部６，６が両側に突出した状態となるため、輸送時に他の製品や周囲の構造物などに衝突して破損する事故の原因となっていた。特許文献１記載の梱包体を用いても、両側に突出する連結部６，６が空気緩衝部や合成樹脂フィルムを破ってしまい、問題を解決するには不十分であった。  
【０００７】
したがって、本発明が解決しようとする課題は、上記引手部材のようにその少なくとも一面に突出部を有する部品を梱包するに適した梱包体を提供し、輸送中の破損事故を防止することである。
【課題を解決するための手段】
【０００８】
この課題を解決するため、請求項１に係る本発明は、少なくともその一面から突出する突出部を有する部品を梱包する梱包体であって、突出部を含めた部品全体がシート状物で覆われて外袋に封入されることを特徴とする。  
【０００９】
請求項２に係る本発明は、請求項１記載の梱包体において、前記シート状物が、部品に関する事項が記載されたものであることを特徴とする。  
【００１０】
請求項３に係る本発明は、請求項１または２記載の梱包体において、前記部品が、表面が略平坦面を有し裏面に突出部を有する略同形状の一対の部材からなり、これら部材の表面同士を対向させ、裏面の突出部を両側に突出させた状態で梱包されることを特徴とする。
【発明の効果】
【００１１】
請求項１に係る本発明によれば、突出部を含めた部品全体がシート状物に覆われた状態で外袋に封入されるので、輸送時に突出部が破損するリスクを極小化して梱包することができる。  
【００１２】
請求項２に係る本発明によれば、部品と共に梱包されるべき取扱説明書や施工説明書などの部品に関する事項が記載されたものをシート状物として利用して部品を覆うようにしているので、このシート状物を同時に部品の保護シートとして利用することができ、保護シートを別に用意する必要がない。  
【００１３】
請求項３に係る本発明によれば、特に、突出部同士を連結させることにより引戸などの扉にワンタッチで取付可能とした一対の引手部材を梱包するに適した梱包体が提供される。
【図面の簡単な説明】
【００１４】
【図１】引手が取り付けられた引戸を示す正面図である。
【図２】引手を構成する一対の引手部材を示す斜視図である。
【図３】一対の引手部材を梱包した梱包体（本発明の一実施形態）を示す斜視図である。
【図４】一対の引手部材を内袋に収容した状態（折り返す前の状態）を示す斜視図である。
【図５】一対の引手部材を内袋に収容した状態（折り返した状態）を示す斜視図である。
【図６】一対の引手部材と共に封入するＡ４サイズの施工説明書を２つ折りにしてＡ５サイズとし（ａ）、これを図５の状態の一対の引手部材に巻いていく作業工程を示す説明図である。
【図７】図６の作業工程により施工説明書で巻かれた一対の引手部材を外袋に入れる作業工程を示す説明図である。
【図８】図２の引手部材における連結部の詳細断面図である。
【発明を実施するための形態】
【００１５】
図３は、本発明の一実施例として、一対の引手部材３，３（図２）を梱包した梱包体１０を示す。引手部材３，３は、個別に内袋に１１，１１に収容され、引手本体４，４の平滑な表面を向き合わせ、連結部６，６を両側に突出させた状態で、施工説明書１２に巻かれ、これらが外袋１３に収容されている。  
【００１６】
この梱包体１０を得るには、まず、引手部材３，３を個別に内袋１１，１１に収容する（図４）。この実施例では、一つの引手部材３を封入するに十分な大きさを有する内袋１１，１１がつなぎ目１４で長さ方向に連続したものが用いられ、各内袋１１に引手部材３が同じ向きで収容される。この実施例における各引手部材３の寸法は、引手本体４の長さが約１４ｃｍ、幅が約４ｃｍであり、手掛部５の深さ（引手本体４の表面から手掛部５の底面までの長さ）が約２．５ｃｍであり、連結部６の突出長が約３ｃｍである。また、この寸法の引手部材３を収容する内袋１１は、たとえば、長さが約１７ｃｍ、幅が約８ｃｍの内寸を有する透明合成樹脂（ポリエチレンなど）製のものを使用することができる。  
【００１７】
次に、つなぎ目１４で連結されている内袋１１，１１を該つなぎ目１４で２つ折りし、引手部材３，３の平坦な表面同士を向き合わせ、連結部６，６が両側に突出した状態とする（図５）。  
【００１８】
引手本体３，３を梱包する際、その施工説明書１２を同梱することが慣用されているが、この梱包体１０では、従来のように単に施工説明書１２を折り畳んで同梱するのではなく、図５に示すような向き合わせ状態で内袋１１，１１に収容された引手部材３，３を施工説明書１２で巻いて保護シートとしても機能させるようにしている。一例として、施工説明書１２がＡ４サイズ（２９７ｍｍ×２１０ｍｍ）の紙である場合、これを長辺の中心線を折り目１５として２つ折りすることによりＡ５サイズ（１４８ｍｍ×２１０ｍｍ）となる（図６（ａ））ので、その短辺は、図５の状態で内袋１１に各々収容された引手部材３の長さ（約１４ｃｍ）を覆うに十分な長さ（１４．８ｃｍ）を有するものとなる。  
【００１９】
したがって、この２つ折りにしたＡ５サイズの施工説明書１２の上に、引戸本体の長さ方向が施工説明書１２の短辺に沿うようにして乗せた後、図６（ｂ）に示すように、折り目１５での折り畳み方向に直交する方向に施工説明書１２を巻いていくことにより、図７右側に示されるような状態が得られる。２つ折りにしたＡ５サイズの施工説明書１２は、上記したようにその短辺（１４．８ｃｍ）が引手部材３，３の長さ（約１４ｃｍ）より長く、且つ、その長辺（２１ｃｍ）は２つ折りした引手部材３，３を巻いて一周するに十分な長さを有するので、引手部材３，３を完全に覆うことができる。また、施工説明書１２は、Ａ４サイズのものを２つ折りにした状態で巻いていくので、紙の厚さが２倍になった状態で引手部材３，３を覆う。すなわち、施工説明書１２は、図５の状態のものを巻いて包み込むことにより、両側に突出する連結部６，６を保護し、その破損を防止する。施工説明書１２の両端は接合せずにフリーの状態としてあるので、開梱したときにすぐに開いて読むことができる。  
【００２０】
そして、図７に示すように、施工説明書１２にまかれた状態の内袋１１，１１入りの引手部材３，３を外袋１３に入れ、開口端１３ａをヒートシールなどにより密封して、図３の梱包体１０が得られる。この実施形態では、外袋１３として、たとえば、長さが約２０ｃｍ、幅が約１０ｃｍの内寸を有する透明合成樹脂（ポリエチレンなど）製のものを使用することができ、比較的厚手のものを用いることが好ましい。  
【００２１】
この梱包体１０において、引手部材３，３は、個別に内袋１１，１１に収容され、これを２つ折りにした状態で施工説明書１２で巻かれてその全体が覆われ、さらにこの状態で外袋１３に収容されるので、３重に保護されている。したがって、輸送中に、他の製品や周囲の構造物などに衝突しても、連結部６，６を破損させることがない。  
【００２２】
上記実施形態において、引手部材３，３を個別に収容する内袋１１，１１は、長さ方向一端において幅方向に延長するつなぎ目１４で連結されている（図４）が、これに代えて、幅方向一端において長さ方向に延長するつなぎ目で連結されるようにしても良い。つなぎ目１４は、ミシン目のように形成して、開梱後に手で容易に離脱可能にすることができる。また、施工説明書１２は、その大きさと、２つ折りにした引手部材３，３の寸法に応じて、そのまま（折り畳まずに）あるいは適宜に折り畳んだ状態にして用いることができる。  
【００２３】
以上に本発明の一実施形態について詳述したが、本発明はこれに限定されるものではなく、特許請求の範囲に記載の発明の範囲内において多種多様に変形して実施することができる。本発明は、一対の引手部材を梱包する梱包体に限らず、少なくともその一面から突出する突出部を有する部品を梱包する梱包体として適用可能である。梱包される部品を巻いて保護するシート状物は、施工説明書に限らず、該部品に関する事項が文章、図面、写真などで表現されたものであって、該部品と同梱することが要求または望まれるシート状物であって良い。
【符号の説明】
【００２４】
１  引戸２  引手３  引手部材４  引手本体５  手掛部６  連結部７  凸部７ａ  係合爪８  凹部８ａ  係合爪１０  梱包体１１  内袋１２  施工説明書（シート状物）１３  外袋１３ａ  開口端１４  つなぎ目１５  折り目
【図１】
2019081564.tif 000003
【図２】
2019081564.tif 000004
【図３】
2019081564.tif 000005
【図４】
2019081564.tif 000006
【図５】
2019081564.tif 000007
【図６】
2019081564.tif 000008
【図７】
2019081564.tif 000009
【図８】
2019081564.tif 000010